Podtech/llm-jp-corpus-v4-ja_patent huggingface dataset:
(57)【要約】      （修正有）【課題】練習グリーンに先端側を容易にほぼ垂直に刺し込むことが出来、カップがあるがごとくに自分のペースで集中して練習ができるパット練習治具を提供する。【解決手段】ゴルフのパット練習器具は、カタカナのコの字形の棒または板の両端をとがらせていて、両端をパット練習場のグリーンにほぼ垂直に刺し込み固定することでパット練習用のゲートができる。このパット練習器具をパット練習場の空いたスペースで使用することで、自分のペースで集中して備え付けのホールまたはスタンドピンで練習するのに相当するパット練習ができる。【選択図】図１
0003201305.tif 000002
【実用新案登録請求の範囲】
【請求項１】
カタカナのコの字形の棒または板の両端をとがらせたことを特徴とするゴルフのパット練習器具。
【考案の詳細な説明】
【技術分野】
【０００１】
本考案は、ゴルフ場へ行ってラウンド前に、パット練習場でパットの練習を行うとき、他の人の邪魔にならずに空いた場所で集中して自分のパット練習ができるパット練習器具に関する。
【背景技術】
【０００２】
共同でパット練習を行うパット練習場には、数個のホールまたはスタンドピンはあるが、大勢で同時にパット練習を行うとき、他の人とのボールが入り乱れたり、他の人や他の人のボールが邪魔でパットができなかったり、周囲に気を使い集中した練習ができないときがある。そのような時にパット練習場の空いたスペースで本考案のパット練習器具を使用することで、自分のペースで集中して備え付けのホールまたはスタンドピンで練習するのに相当するパット練習ができる。
【先行技術文献】
【特許文献】
【０００３】
【特許文献１】この種の従来の技術としては、特開２００６−５８６があるが、ぎりぎりのタッチでカップに入るものがリングによってはじかれたり、グリーンの速さに最適なリングの高さがあり、あらゆるグリーンの速さにリング一つでは対応しきれなかった。パット練習場でパットの練習をする者にとってほしいものは、カップへ入る入らないもあるが、これからラウンドするグリーンの速さにタッチを合わせたとき、カップからどれくらい短めになるか、長めになるかを知りたいがその情報は得られない。
【非特許文献】
【０００４】
【非特許文献１】ドライバー用のティーを立てて目標とし、パターの練習をすることもあるが、カップに入る範囲かどうかがわからない。
【考案の概要】
【考案が解決しようとする課題】
【０００５】
ゴルフのラウンド前に、共同でパット練習を行うとき、同じカップやスタンドピンで他の人とのボールが入り乱れたり、他の人や他の人のボールが邪魔でパットができなかったり、周囲に気を使い集中した練習ができないときがあった。
【課題を解決するための手段】
【０００６】
パットの練習場で空いているスペースがあったら、本考案のカタカナのコの字の両端をとがらせたパット練習治具を練習用グリーンに両端をほぼ垂直に刺し込み固定することで、自分のペースで集中してパットの練習ができる。本考案のパット練習治具は固定した状態で内側の高さはボールより高く、内側の幅はカップの幅またはカップの長さにボールが転がり落ちる程度の幅を追加した幅のものを個人の趣味により選択して練習することが出来るため、本考案のパット練習治具の内側を通過すればカップイン、外側または本考案のパッド練習治具に当たればカップを外したことになり、カップを外した場合でもストロークの強さや弱さがどの程度かもわかる。南北方向での練習を行った後、東西方向の練習を行いたいときはその方向に向きを変えて刺し込めばよい。
【考案の効果】
【０００７】
本考案のパット練習治具は練習グリーンに先端側を容易にほぼ垂直に刺し込むことが出来、カップがあるがごとくに自分のペースで集中して練習ができる。また、パッティングストロークの強さ弱さの程度もボールの位置を目視で確認することで理解できる。構造が単純なため安価に製作できる。
【図面の簡単な説明】
【０００８】
【図１】図１は断面が円形の本考案の正面図。
【図２】図２は図１の側面図。
【図３】図３は断面が四角形の本考案の正面図。
【図４】図４は図３の側面図。
【考案を実施するための形態】
【０００９】
カタカナのコの字形の棒または板の両端をとがらせたことを特徴とするゴルフのパット練習器具。両端を練習用グリーンにほぼ垂直に刺し込み固定することでパット練習用のゲートができる。ゲートの内側の高さはボールの高さよりも高く、ゲートの内側の幅は難しめを希望するときはカップと同じ１０８ｍｍのものを選択し、易しめを希望するときはカップの長さにボールがカップの淵から転がり落ちる長さ（例えば３３ｍｍ）を追加した１４１ｍｍのものを選択すればよい。南北の方向はパット練習器具を固定したままで、東西の方向はパット練習器具をその方向に刺し変えて固定すればよい。このパット練習器具をパット練習場の空いたスペースで使用することで、共同でパット練習を大勢で同時に行うとき、他の人とのボールが入り乱れたり、他の人や他の人のボールが邪魔でパットができなかったり、周囲に気を使い集中した練習ができないとき、空いたスペースを利用することで、自分のペースで集中して備え付けのホールまたはスタンドピンで練習するのに相当するパット練習ができる。ゲートの内側に入らないときでもボールがオーバーした距離、不足した距離が目視で確認できるため、パットストロークの強弱の調整に大いに役に立つ。
【実施例】
【００１０】
図１に示す形状にするため、直径６ｍｍ、長さ２８０ｍｍのプラスチックの丸棒の両端をとがらせ、両側を約６５ｍｍの位置で加熱して折り曲げ、パット用器具の内側の高さが６５ｍｍ、内側の幅が１４１ｍｍのものを製作した。製作後、練習用グリーンで外径４３ｍｍのゴルフボールでテストを行い、パットの練習に有用であることを確認した。
【産業上の利用可能性】
【００１１】
実施例で有用性は確認し、構造が簡単で射出成型等で容易に製作できるため、安価に提供ができ汎用可能である。
【符号の説明】
【００１２】
１      断面が円形であるパット練習器具の実施例
２      断面が四角形であるパット練習器具の実施例
【図１】
0003201305.tif 000003
【図２】
0003201305.tif 000004
【図３】
0003201305.tif 000005
【図４】
0003201305.tif 000006
(57)【要約】      （修正有）【課題】折り線でのひび割れを防止する自立させる折立色紙を提供する。【解決手段】矩形の厚紙の一辺に沿う方向の中央に、当該一辺に垂直に延びる１つの筋押し入れ部６を備え筋押し入れ部６に沿って折り畳んでいる。【選択図】図１
0003201380.tif 000002
【実用新案登録請求の範囲】
【請求項１】
矩形の厚紙の一辺に沿う方向の中央に、当該一辺に垂直に延びる１つの筋押し入れ部を備え折り部に沿って折り畳んでいる折立色紙。
【請求項２】
矩形の厚紙の一辺に沿う方向の二箇所に、二つの筋押し入れ部を設け折り部に沿って折り畳んでいる折立色紙。
【請求項３】
前記折立色紙の内側に、お札を貼着する為のお札貼着部が設けられている請求項１又は請求項２に記載の折立色紙。
【請求項４】
前記折立色紙の表面及び裏面の少なくとも一方に社寺名部が記載されている請求項１〜３のいずれか一項に記載の折立色紙。
【考案の詳細な説明】
【技術分野】
【０００１】本考案は、お札を自立させる事により仏及び神に触れる機会の創造を盛り上げる。
【背景技術】
【０００２】従来の折立て色紙は直線による折り線だけで折っていた。
【考案の概要】
【考案が解決しようとする課題】
【０００３】従来の直線による折り線ではひび割れが起き易かった。
【課題を解決するための手段】
【０００４】第一考案としては矩形の厚紙の一辺に沿う方向の中央に、当該一辺に垂直に延びる１つの筋押し入れ部を備え折り部に沿って折り畳んでいる折立色紙。【０００５】第二考案としては矩形の厚紙の一辺に沿う方向の二箇所に２つの筋押し入れ部を設けた折立色紙。【０００６】第三考案としては、前記折立色紙の内面にお札を貼着する為のお札貼着部が設けられている。【０００７】第四考案としては、前記折立色紙の表面及び裏面の少なくとも一方に社寺名部が記載されている。
【考案の効果】
【０００８】第一考案としては、筋押し入れにする事によってひび割れを防ぐことが出来る。【０００９】第二考案としては、二つの筋押し入れ部を設ける事によりコの字型に自立させる事が出来安定性が良い。【００１０】第三考案としては、お札だけでは自立が不可能な為折立色紙に貼る事によって自立が可能になる。その事によって神棚の無い住居でも自立させて何処にでも置く事が出来る。【００１１】第四の考案としては、社寺名部を記載する事によって祈願内容と社寺との関係を願主に解り易くする。
【図面の簡単な説明】
【００１２】
【図１】本考案の２つ折り折立色紙の開いた左右の頁の一例を示す図である。
【図２】本考案の２つ折り折立色紙の開いた左右の頁の一例を示す図である。
【図３】本考案の３つ折り折立色紙の開いた左右中央の頁の一例を示す図である。
【図４】本考案の３つ折り折立色紙の開いた左右中央の頁の一例を示す図である。
【図５】折り線部分を拡大したもの
【図６】本考案の２つ折り３つ折り折立色紙を自立させたもの
【考案を実施するための形態】
【実施例】
【００１３】自動折り機によって筋押し入れを入れる。【００１４】図１及び図３は本考案上は表面とする。図２及び図４は裏面とする。さらに図２の裏面は裏面１及び裏面２からなり図４の裏面は裏面１及び裏面２及び裏面３からなる。【００１５】本考案を実施する為に図１及び図３の第１の表面１２に祈願名部１に祈願名を入れ祈願名部１は祈願の内容に応じて差し替えていく。【００１６】図１及び図３の第２の表面１３にお札４を発行している社寺名部２に社寺名が入り発行する。【００１７】図２及び図４の第２の裏面１５に発行の社寺名部に社寺の裏面１５に由来部３や歴史を入れより効果を高めていく。【００１８】図２及び図４の第１の裏面１４のお札貼着部４に祈願にあわせたお札貼着部４にお札を貼る。【００１９】図２及び図４の第２の裏面１４にお札貼着部４に隣接する願主名部５に姓名を入れてご祈祷後に願主に渡し持ち帰って筋押し入れ部６〜１１にそって折り曲げ自立をさせるものである。【００２０】折立色紙は厚紙で出来ており図５のように折立色紙の折線を筋押し入れ部にする事によって厚紙を折り曲げる際に紙割れを防ぐ。【００２１】折立色紙正面の型状は正方形と長方形がある。
【符号の説明】
【００２２】１  祈願名部
２  社寺名部
３  由来部
４  お札貼着部
５  願主名部
６〜１１  筋押し入れ部
１２  表面１
１３  表面２
１４  裏面１
１５  裏面２
１６  裏面３
【図１】
0003201380.tif 000003
【図２】
0003201380.tif 000004
【図３】
0003201380.tif 000005
【図４】
0003201380.tif 000006
【図５】
0003201380.tif 000007
【図６】
0003201380.tif 000008
【手続補正書】
【提出日】平成27年8月27日(2015.8.27)
【手続補正１】
【補正対象書類名】実用新案登録請求の範囲
【補正対象項目名】全文
【補正方法】変更
【補正の内容】
【実用新案登録請求の範囲】
【請求項１】
矩形の厚紙の一辺に沿う方向の中央に、当該一辺に垂直に延びる１つの筋押し入れ部を備え前記筋押し入れ部に沿って折り畳んでいる折立色紙。
【請求項２】
矩形の厚紙の一辺に沿う方向の二箇所に、二つの筋押し入れ部を備え前記筋押し入れ部に沿って折り畳んでいる折立色紙。
【請求項３】
前記折立色紙の内側に、お札を貼着する為のお札貼着部が設けられている請求項１又は請求項２に記載の折立色紙。
【請求項４】
前記折立色紙の表面及び裏面の少なくとも一方に社寺名部が記載されている請求項１〜３のいずれか一項に記載の折立色紙。
(57)【要約】      （修正有）【課題】ポケットに物を入れてもバッグの形を崩さないようにすると共に、スムーズに出し入れができるようにするバッグを提供する。【解決手段】バッグ本体の上側に設けた主開口を紐もしくは、ベルトで開閉自在とし、その主開口を覆う蓋板２の基端を背板の上辺部に重合縫着するとともに、バッグ本体の前下板９に前ポケットを二つ縫着してなるバッグにおいて、主開口はバッグ本体の中腹部より１／８大きくするとともに、ポケットは背板に面している側の生地を大きくし、前上板８の中央部には受入係止片４を設け、蓋板２には差込み係止片１を設けることで、前上板８と蓋板２を係止可能とした。【選択図】図１
0003201372.tif 000002
【実用新案登録請求の範囲】
【請求項１】
バッグ本体の上側に設けた主開口を紐もしくは、ベルトで開閉自在とし、その主開口を覆う蓋板の基端を背板の上辺部に重合縫着するとともに、バッグ本体の前下板に前ポケットを二つ縫着してなるバッグにおいて、上記主開口はバッグ本体の中腹部より１／８大きくするとともに、上記ポケットは背板に面している側の生地を大きくし、前上板の中央部であって上記蓋板を縫着することを特徴とするリュックサック。
【考案の詳細な説明】
【技術分野】
【０００１】  本考案は、出し入れ口が本体中央部より広くなっている、外付けポケットが本体内側に膨らむようになっている、蓋付きのバッグに関するものである。
【背景技術】
【０００２】  人が持ち運ぶ長方形や筒状の入れ物の類は物を入れる部分が中腹部と幅が同じ、もしくは狭くなっていることが多い。【０００３】  外付けのポケットは荷物を入れるとそのものが膨らんでしまっている。
【先行技術文献】
【特許文献】
【０００４】
【特許文献１】  実開平０６−０６８５２７公報
【非特許文献】
【０００５】
【非特許文献１】「ＤＯＰＰＥＬＧＡＮＧＥＲ  ＤＥＢ１７９−ＢＫ  バイシクルエコリュック  製品ページ」，２０１４／０８／０５公開
【考案の概要】
【考案が解決しようとする課題】
【０００６】  ポケットに物を入れるとバッグの形が崩れてしまう。【０００７】  出し入れがスムーズに出来ない為、もたついてしまう。
【課題を解決するための手段】
【０００８】  出し入れ口を本体中央部より広く設け、スムーズな出し入れを可能とし、且つ、ポケットの収納部をバッグ内側に設けることにより、物をいれても形が崩れないようにするものである。
【考案の効果】
【０００９】  出し入れ口が広くなっているので、スムーズな出し入れができる。【００１０】  ポケットの収納部を袋内側に設けているので、物を詰めてもバッグの形が崩れない
【図面の簡単な説明】
【００１１】
【図１】第１図は本考案の開けた状態の表面図の１例を示す。
【図２】第２図は本考案の閉じた状態の表面図の１例を示す。
【図３】第３図は本考案の裏面図の１例を示す。
【図４】第４図は本考案のポケット（大）部の図の１例を示す。
【図５】第４図は本考案のポケット（小）部の図の１例を示す。
【考案を実施するための形態】
【００１２】  以下、本考案の実施の形態を図に基づいて説明する。
【実施例１】
【００１３】  図１に示すように出し入れ口は中腹部より大きくなっている。
【実施例２】
【００１４】  図２に示すように紐によって出し入れ口を締めると共に、蓋によっても出し入れ口を閉めている。
【実施例３】
【００１５】  図４、図５に示すようにポケット収納部分１０、１１はバッグの内側に膨らむようになっている。
【実施例４】
【００１６】  下向きについた係合部材１２によりフックなどに掛けることができる。
【産業上の利用可能性】
【００１７】  本考案はかばん類袋物を製造する産業で利用される。
【符号の説明】
【００１８】１差込み係止片
２蓋板
３背負いバンド
４受入係止片
５背板
６ポケット（小）ファスナー
７ポケット（大）ファスナー
８前上板
９前下板
１０ポケット（大）
１１ポケット（小）
１２係合部材
１３ゴム
【図１】
0003201372.tif 000003
【図２】
0003201372.tif 000004
【図３】
0003201372.tif 000005
【図４】
0003201372.tif 000006
【図５】
0003201372.tif 000007
【手続補正書】
【提出日】平成27年6月19日(2015.6.19)
【手続補正１】
【補正対象書類名】実用新案登録請求の範囲
【補正対象項目名】全文
【補正方法】変更
【補正の内容】
【実用新案登録請求の範囲】
【請求項１】
バッグ本体の上側に設けた主開口部を、紐又はファスナーで開閉自在とし、その主開口部はバッグ本体の中腹部より約１／８広くする。従って本体に物の出し入れが容易になる。本体の背面外側ポケットと本体の底辺に近い脇ポケットのファスナー開口部は表面と同面である。上記ポケット袋布はバッグの内面に留め、表面に出っ張らなさないのでスッキリしたバッグである。
【手続補正書】
【提出日】平成27年9月15日(2015.9.15)
【手続補正１】
【補正対象書類名】実用新案登録請求の範囲
【補正対象項目名】全文
【補正方法】変更
【補正の内容】
【実用新案登録請求の範囲】
【請求項１】
バッグ本体の上側に設けた主開口を紐もしくは、ベルトで開閉自在とし、その主開口を覆う蓋板の基端を背板の上辺部に重合縫着するとともに、バッグ本体の前下板に前ポケットを二つ縫着してなるバッグにおいて、上記主開口はバッグ本体の中腹部より１／８大きくするとともに、上記ポケットは背板に面している側の生地を大きくし、前上板の中央部には受入係止片を設け、蓋板には差込み係止片を設けることで、前上板と蓋板を係止可能としたことを特徴とするバッグ。
(57)【要約】      （修正有）【課題】載置した車輌の落下を防止できる卓上ミニチュア車輌リフトを提供する。【解決手段】卓上に載る金属製のミニチュア車輌リフトであって、プレート台の上に溶接又は接着したミニチュア車輌リフトの上に、好みのミニチュア自動車、ミニチュア作業車、ミニチュア建設士木車輌、又はミニチュア戦車輌のいずれか１つを載置し、リフト上の接地面に磁石板を取り付け、リフト上に搭載された金属製の模型車輌が、磁石板に吸着され落下しない様にする。【選択図】図１
0003201376.tif 000002
【実用新案登録請求の範囲】
【請求項１】
卓上ミニチュア車輌リフト、卓上に載る金属製のミニチュア車輌リフトで、ミニチュア車輌リフトの上に、好みのミニチュア自動車、ミニチュア作業車、ミニチュア建設土木車輌、又はミニチュア戦車輌のいずれか１つを載置可能としたことを特徴とする金属製のミニチュア車輌リフト、そのリフト上に磁石を取り付け、金属製の模型車が磁石で固定され、車輌が落下しない様にする。
【考案の詳細な説明】
【技術分野】
【０００１】本考案は、プレート台に、ミニチュア車輌リフトを取り付け、そのリフト上に、ミニチュア自動車、ミニチュア作業車、ミニチュア建設土木車輌、又は戦車輌をいずれか１つを載せた卓上ミニチュア車輌リフトにする。卓上ミニチュアリフトは、金属製で、リフト上には、車輌を固定させる磁石を取り付ける。
【背景技術】
【０００２】ミニチュア車輌リフトを卓上に乗るようにミニチュア車輌トリフトを製作する。
【考案の概要】
【０００３】ミニチュア車輌リフトをプレート台に載せ、そのリフトにミニチュア自動車、ミニチュア作業車、ミニチュア建設土木車輌、又はミニチュア戦車輌をいずれか１つを載せる。
【考案が解決しようとする課題】
【０００４】卓上ミニチュアリフトを載せ、そのリフト上に載せるミニチュア車輌が落下しない様に作る。
【課題を解決する為の手段】
【０００５】ミニチュア車輌リフトを加工し、その上にミニチュア車輌を載せ、車輌が落下しない様にする。
【考案の効果】
【０００６】ミニチュア車輌を載せたリフトは、卓上にのるミニチュア車輌リフト。
【考案を実施するための形態】
プレート台に卓上リフトを載せ、その上にミニチュア車輌を載せる。
【実施例】
【０００７】鉄板を切断加工し、又は鋳物加工し、ミニチュアプレート台、ミニチュアリフトを作り、そのプレート台にリフトを載せ、リフト上に磁石を取り付け、リフトとプレート台は、溶接又は接着し、その磁石上にミニチュア車輌を載せる。
【図面の簡単な説明】
【０００８】
【図１】鉄板を切断加工しプレート台を作り、その上にミニチュアリフトを載せ溶接し、及は接着し、そのリフト上に磁石を取り付ける。
【図２】本考案の卓上ミニチュア車輌リフト詳細面図である。
【符号の説明】
【０００９】１  プレート台
２  リフト
３  磁石
４  ネームプレート
【図１】
0003201376.tif 000003
【図２】
0003201376.tif 000004
【手続補正書】
【提出日】平成27年7月28日(2015.7.28)
【手続補正１】
【補正対象書類名】実用新案登録請求の範囲
【補正対象項目名】全文
【補正方法】変更
【補正の内容】
【実用新案登録請求の範囲】
【請求項１】
卓上に載る金属製のミニチュア車輌リフトで、ミニチュア車輌リフトの上に、好みのミニチュア自動車、ミニチュア作業車、ミニチュア建設土木車輌、又はミニチュア戦車輌のいずれか１つを載置可能としたことを特徴とする金属製のミニチュア車輌リフト、車輌搭載する２枚のリフト板上の接地面に、磁石板を取り付けた構造を有するミニチュア車輌リフトで、リフト上に搭載された金属製の模型車輌が、リフトに取り付けられた磁石板で、車輌が落下しない様にするという構造を有する卓上ミニチュア車輌リフト。
【手続補正書】
【提出日】平成27年9月18日(2015.9.18)
【手続補正１】
【補正対象書類名】実用新案登録請求の範囲
【補正対象項目名】全文
【補正方法】変更
【補正の内容】
【実用新案登録請求の範囲】
【請求項１】
卓上に載る金属製のミニチュア車輌リフトであって、ミニチュア車輌リフトの上に、好みのミニチュア自動車、ミニチュア作業車、ミニチュア建設士木車輌、又はミニチュア戦車輌のいずれか１つを載置可能とし、車輌搭載するリフト上の接地面に磁石板を取り付けた構造を有し、リフト上に搭載された金属製の模型車輌が、リフトに取り付けられた磁石板で車輌が落下しない様にする構造を有することを特徴とした卓上ミニチュア車輌リフト。
(57)【要約】      （修正有）【課題】こたつの中に入れられ、足が楽になり疲れない足らくマットの提供。【解決手段】直径５２ｃｍの円形で、厚さ５ｃｍ、表面地はポリエステル１００％で、裏はスベリ止めで、防炎仕様で、中身がウレタン１００％である。【選択図】図１
0003201375.tif 000002
【実用新案登録請求の範囲】
請求項      物件名          明細書
発明の名称      足らくマット
直径            ５２ｃｍ
厚さ            ５ｃｍ
表面地          ポリエステル１００％  防災
中身            ウレタン１００％
こたつの中に入れ敷く。その上に足をおく。
暑い時期は、こたつ布団をはずすだけ。３６５日使用できます。すごい楽です。
【考案の詳細な説明】
【図１】
0003201375.tif 000003
【図２】
0003201375.tif 000004
【手続補正書】
【提出日】平成27年9月4日(2015.9.4)
【手続補正１】
【補正対象書類名】実用新案登録請求の範囲
【補正対象項目名】全文
【補正方法】変更
【補正の内容】
【実用新案登録請求の範囲】
【請求項１】
直経５２ｃｍの円形で、厚さ５ｃｍ、表面地はポリエステル１００％で裏はスベリ止めで防炎仕様で中身がウレタン１００％であることを特徴とする足らくマット。
【手続補正２】
【補正対象書類名】明細書
【補正対象項目名】全文
【補正方法】変更
【補正の内容】
【考案の詳細な説明】
【技術分野】
【０００１】足らくマットに関する。
【背景技術】
【０００２】こたつの中に入れられ足を置くマットが無かった。
【考案の概要】
【考案が解決しようとする課題】
【０００３】こたつの中で足を置くことで、足が楽になりつかれない足らくマットを提供する。
【課題を解決するための手段】
【０００４】直経５２ｃｍの円形で、厚さ５ｃｍ、表面地はポリエステル１００％で裏はスベリ止めで防炎仕様で、中身はウレタン１００％であることを特徴とする足らくマットによって課題を解決する。
【考案の効果】
【０００５】こたつの中で、足を置くことで、足が楽になりつかれない足らくマットを提供できる。
【図面の簡単な説明】
【０００６】
【図１】本考案に係るマットの平面図である。
【図２】本考案に係るマットの側面図である。
【考案を実施するための形態】
【０００７】直経５２ｃｍの円形で、厚さ５ｃｍ、表面地はポリエステル１００％で裏はスベリ止めで防炎仕様で中身がウレタン１００％であることを特徴とする足らくマットである。
【符号の説明】
【０００８】１・・・・・上方からみたマット
２・・・・・側方からみたマット
(57)【要約】      （修正有）【課題】乗用車や小型貨物車では寒冷時の室内暖房にエンジンの排気熱により温められたエンジン冷却水の温熱を熱源とする温風を車両室内に送り室内を暖めているが、エンジン始動と略同時に温風を室内に供給し室内環境を快適にする装置を提供する。【解決手段】自動車の運転席付近に取り付けられ、エンジン冷却水の温度影響を受ける室内換気用の送風を昇温して室内に送り出す装置であって、装置は、車載電源により発熱し、本体裏面より受けた前記送風を昇温して本体前面から送り出す加温用ヒータと、電源切断用のスイッチと、通電表示用パイロットランプと、送風温度が指定温度に昇温した場合に装置の作動を停止させる温度管理用サーモスタットを有し、本体表面および本体裏面は、空気の流通を妨げることのない、網目状または櫛歯状とした。【選択図】図２
0003201371.tif 000002
【実用新案登録請求の範囲】
【請求項１】
本装置はエンジン冷却水の温度影響を受けた給気を車載電源により作動する本装置中央部にある加温用ヒーターに本装置の裏面方向から当てここで加温された空気を本装置の表面側から車両室内へ供給するもので、エンジン冷却装置からの空気が充分高温になった場合に本装置の作動を停止させるための空気温度監視調整用のサーモスタットと車載電源による給電状況を知らせるパイロットランプを装備し、給気の流通を効率化するため本装置の表面及び裏面側は網目状または櫛歯状の形状とする。
【考案の詳細な説明】
【技術分野】
【０００１】
本考案は、自動車のエンジン始動時の室内暖房を容易にするための暖房装置に関わるものである。
【背景技術】
【０００２】
動力源にガソリン等を使用する現在までの水冷式エンジン車では、室内暖房にエンジン冷却水の温熱を利用しているため、寒冷時にはエンジン排気温度が適度に高温化するまでエンジン始動時から約１０分間室内に快適な暖房を提供することが困難である。
【考案の概要】
【考案が解決しようとする課題】
【０００３】
本考案が解決しようとする課題は、自動車のエンジン点火と略同時に運転者及び同乗者に暖気を提供し、室内の居住性を改善することである。
【課題を解決するための手段】
【０００４】
本考案は、自動車のエンジン始動後エンジンの冷却水温度が充分に昇温するまでの間、運転席付近に取り付ける本装置の加熱用ヒーターを車載電源などを通じ発熱させ、エンジン冷却水の温度影響を受ける室内換気用の送風を本装置の裏面より当て、同ヒーターにより昇温した空気を本装置の表面より室内に送り室内の早期暖房を図る。エンジン冷却水温度の上昇により送風温度が指定温度に昇温した場合に本装置の作動を停止するために、本装置に温度管廊サーモスタットを付加する。
【考案の効果】
【０００５】
本装置は、エンジン始動時から室内に暖気を供給するまで１０数分を要する寒冷時の現状室内暖房装置に、車載電源などの電源を利用する本件加熱装置を併用することにより、室内電源の入力と略同時に暖気を室内に供給することが出来る。
【図面の簡単な説明】
【０００６】
【図１】図１は本装置のシステム模式図である。
【図２】図２は本装置の構造概略図である。
【考案を実施するための形態】
【０００７】
新規生産車に標準装備され得るほか既生産車流通車にも追加装備され得る。
【０００８】
本装置には電源切断用スイッチに加え通電表示用パイロットランプや温度感知式サーモスタット、給気加熱用ヒーターを備える。
【０００９】
本装置の形状は車両の取り付け位置に合わせ自由であるが、本装置の裏面より室内換気用の送風を当て、表面側より温暖化した空気を室内に供給するため、本装置の表面と裏面は空気の流通を妨げることのないように網目状または櫛歯状とする。
【００１０】
本装置の性能については、本装置を搭載する各種車両の車載電源の能力制限を受ける可能性がある。
【産業上の利用可能性】
【００１１】
簡単な構造で安価な本装置は、日本国内で生産される年間約１００万台に及ぶ水冷式エンジン搭載新車に標準装備され、また既生産流通車に追加装備される機会があり、海外諸国にあっても同様の機会があることから、本装置生産企業の他それを装備する車両生産企業などに裨益効果が期待され産業上の利用価値は計り知れない。
【００１２】
室内暖房用に直接使用する燃焼式ヒーターやブロックヒーター、ホットガス式ヒーターなどと比較して、本装置は構造上簡易で安価に生産できる。
【００１３】
寒冷期の車両始動時に暖房のための暖気運転時間を短縮できることから燃油消費量が減少し、運転手には運転経費が抑制出来ると同時に環境に対する汚損負荷を軽減できるなど社会的貢献が大きい。
【図１】
0003201371.tif 000003
【図２】
0003201371.tif 000004
【手続補正書】
【提出日】平成27年6月15日(2015.6.15)
【手続補正１】
【補正対象書類名】実用新案登録請求の範囲
【補正対象項目名】全文
【補正方法】変更
【補正の内容】
【実用新案登録請求の範囲】
【請求項１】
本装置は電源切断用のスイッチと通電表示用パイロットランプ、電力を利用する加温用ヒーター、温度管理用サーモスタットを電線で結びその外側にヒーターへの異物の接触防止用網を一体装置として構成する。本装置は、自動車のエンジン始動後エンジンの冷却水温度が充分に昇温するまでの間、運転席付近に取り付ける本装置の加温用ヒーターを車載電源で発熱させ、エンジン冷却水の温度影響を受ける室内換気用の送風を本装置の裏面より当て、同ヒーターにより昇温した空気を本装置の表面より室内に送り室内の早期暖房を図る。エンジン冷却水温度の昇温により送風温度が指定温度に昇温した場合に温度管理用サーモスタットが本装置の作動を停止する。
【手続補正書】
【提出日】平成27年10月8日(2015.10.8)
【手続補正１】
【補正対象書類名】実用新案登録請求の範囲
【補正対象項目名】全文
【補正方法】変更
【補正の内容】
【実用新案登録請求の範囲】
【請求項１】
自動車の運転席付近に取り付けられ、エンジン冷却水の温度影響を受ける室内換気用の送風を昇温して室内に送り出す装置であって、前記装置は、車載電源により発熱し、本体裏面より受けた前記送風を昇温して本体前面から送り出す加温用ヒータと、電源切断用のスイッチと、通電表示用パイロットランプと、送風温度が指定温度に昇温した場合に装置の作動を停止させる温度管理用サーモスタットを有し、前記本体表面および本体裏面は、空気の流通を妨げることのない、網目状または櫛歯状としたことを特徴とする装置。
(57)【要約】      （修正有）【課題】靴の中での足の徒な遊動を抑制することにより、靴と足との一体感を確保し、作業活動等を円滑、安全に行うことができる靴下を提供する。【解決手段】靴下１は、足の親指の付け根と小指の付け根とを結ぶ線よりつま先側に対応する前方足底部領域２と、踵の後側面部対応領域３に、滑り止め部材４，５が塗布され、その摩擦係数が、他の領域の摩擦係数に比べて高く設定される。足首締付部６とアーチ締付部７とが足を強く締め付けているため、靴の重みで靴下１が足からずり下がることがなく、靴と足との一体感が維持される。【選択図】図１
0003201336.tif 000002
【実用新案登録請求の範囲】
【請求項１】
踵の後側面対応領域の摩擦係数が、他の領域の摩擦係数に比べて高いことを特徴とする靴下。
【請求項２】
足の親指の付け根と小指の付け根とを結ぶ線よりつま先側に対応する前方足底部領域と、踵の後側面対応領域の摩擦係数が、他の領域の摩擦係数に比べて高いことを特徴とする靴下。
【請求項３】
足の甲の上部対応領域からアキレス腱下部対応領域に延びるように足首周りを覆う帯状の足首締付部と、土踏まず対応部を覆い足幅方向に延びて踝対応部領域において前記足首締付部と融合する帯状のアーチ締付部の弾性が他の部位の弾性に比べて高弾性であることを特徴とする請求項１又は２に記載の靴下。
【請求項４】
前記踵の後側面対応領域に滑り止め部材が付設されていることを特徴とする請求項１に記載の靴下。
【請求項５】
前記滑り止め部材が点状に多数付設されていることを特徴とする請求項４に記載の靴下。
【請求項６】
前記踵の後側面対応領域に点状に付設される多数の前記滑り止め部材は、踵の後側面下部から上部に向かうにしたがって、踵の内外側面側へ徐々に広がるように点在することを特徴とする請求項５に記載の靴下。
【考案の詳細な説明】
【技術分野】
【０００１】
本考案は、歩行時に靴の中で足が徒に遊動しないように、靴に対する足の滑動を確実に抑制することができる靴下に関する。
【背景技術】
【０００２】
従来、接地面に滑り止め部材を付設した作業用靴下として、特許文献１に記載されたものが提案されている。この靴下は、靴を脱いで、家の中で家具や冷蔵庫等の重量物を運搬する際等に、床に対する靴下の滑りを抑制する機能を有するもので、靴を履き易くかつ靴を脱いだ後は床面で滑りにくい作業用靴下を提供しようとするものである。
一方、作業靴、特に長靴などを履いて活動するとき、靴の中で足が徒に遊動し、靴と足との間に動きのずれが生じると、活動に障害を来すおそれがある。従来、靴の中での足の徒な遊動を抑制するための靴下は提案されていない。
【先行技術文献】
【特許文献】
【０００３】
【特許文献１】特開２００１−９８４０１号公報
【考案の概要】
【考案が解決しようとする課題】
【０００４】
本考案は、靴の中での足の徒な遊動を抑制することにより、靴と足との一体感を確保し、作業活動等を円滑、安全に行うことができる靴下を提供することを目的としている。
【課題を解決するための手段】
【０００５】
以下、添付図面の符号を参照して説明するが、本考案はこれに限定されるものではない。
上記課題を解決するための、本考案の靴下１は、踵の後側面部対応領域３の摩擦係数が、他の領域の摩擦係数に比べて高く設定される。
本発明の他の靴下は、踵の後側面部対応領域３に加えて、足の親指の付け根と小指の付け根とを結ぶ線Ａよりつま先側に対応する前方足底部領域２の摩擦係数が、他の領域の摩擦係数に比べて高く設定される。
【考案の効果】
【０００６】
本考案の靴下１は、例えば長靴や安全靴などを履いて歩行中に、踵が靴の中で浮き上がるような、靴に対する足の徒な遊動を抑制することにより、靴と足との一体感を確保し、それによって、作業活動等の円滑化、安全性の向上に貢献できる。
【図面の簡単な説明】
【０００７】
【図１】本考案に係る右足用の靴下を横方向から見た状態を示す図である。
【図２】図１の靴下の足底を示す図である。
【図３】図１の靴下を後ろ方向から見た状態の一部を示す図である。
【考案を実施するための形態】
【０００８】
図面を参照して本考案の実施の形態を説明する。
ここで、足のつま先方向を前方、踵方向を後方といい、足の親指側を足の内側小指側を足の外側という。
【０００９】
図示の靴下１は、足のつま先から膝下までを覆う長靴下であるが、本発明はこれに限定されるものではない。靴下１は、足の親指の付け根（第１中足骨の種子骨付近）と小指の付け根（第５中足骨の種子骨付近）とを結ぶ線Ａよりつま先側に対応する前方足底部領域２と、踵の後側面対応領域３における靴下と靴の内側との間の摩擦係数が、他の領域の摩擦係数に比べて高く構成される。他の領域の摩擦係数に比べて摩擦係数が高い領域は、踵の後側面対応領域３のみであってもよい。
【００１０】
図示の実施形態において、前方足底部領域２と踵の後側面対応領域３に、ゴムなどの摩擦係数が高く、弾性を有する物質からなるリング状の滑り止め部材４，５が点状に多数塗布されている。摩擦係数の高い領域は、摩擦係数が高い糸を編み込んで形成することもできる。
【００１１】
踵の後側面対応領域３に塗布される多数の滑り止め部材５は、踵の後側面下部から上部に向かうにしたがって、踵の内外側面側へ徐々に広がるように点在し、踵骨の後部対応部を覆っている。上部の滑り止め部材５は、踵骨の上縁に沿うくびれ部を覆って踵の左右側面に延び、踝の下部対応部付近に達している。
【００１２】
帯状の足首締付部６が、足の甲の上部対応領域からアキレス腱の下部対応領域に延びるように足首周りを覆っている。また、帯状のアーチ締付部７が、土踏まず対応部を覆い足幅方向に延び、踝対応部領域において足首締付部６と融合するように形成されている。足首締付部６とアーチ締付部７は、その弾性が他の部位に比べて高弾性である。足首締付部６、アーチ締付部７には、それぞれ弾性率を高める編み組織および弾性率の高いゴム糸等の素材を有する高弾性材が使用される。
【００１３】
この靴下１は、例えば長靴のような作業靴を履いて作業を行う際に、前方足底部領域２と踵の後側面対応領域３における靴の内側面との摩擦係数が高いために、足と長靴との間の滑りが抑制され、足と長靴とが密着した状態が維持される。このため、不用意に靴が脱げるおそれがないし、接地面との接触感覚が直接足に伝わりやすく、作業の安全性が向上する。踵の後側面対応領域３のみ摩擦係数が高い場合でも、その効果が認められる。踵の後側面対応領域３の摩擦係数が高いために、歩行時に踵をあげたとき、靴の荷重の一部がこの領域に集中してかかるが、上部の滑り止め部材５の列が、踵の上部のくびれ部に掛かって靴下１のずり下がりを抑制する。足を強く締め付ける足首締付部６とアーチ締付部７があると、靴下１のずり下がさらに効果的に抑制され、靴と足との一層の一体感が維持される。
【符号の説明】
【００１４】
１      靴下
２      前方足底部領域
３      踵の後側面対応領域
４      滑り止め部材
５      滑り止め部材
６      足首締付部
７      アーチ締付部
【図１】
0003201336.tif 000003
【図２】
0003201336.tif 000004
【図３】
0003201336.tif 000005
(57)【要約】      （修正有）【課題】従来の制御盤に映像機能を採り入れた、透過型液晶モジュールつき制御盤を提供する。【解決手段】機械設備の制御及びシステムをコントロールする制御盤筐体１の扉部２にガラス製またはアクリル製の透明素材３を嵌め込み構造として組付け、その部分に映像及びメッセージを表示する透過型液晶モジュール４を装着し制御盤に組合せ、透過型液晶モジュール４で、生産現場のカメラ画像、設備案内説明、商品ＰＲまたは設備故障時の故障部分映像５を表示する。【選択図】図１
0003201384.tif 000002
【実用新案登録請求の範囲】
【請求項１】
機械設備の制御およびシステムをコントロールする制御盤の扉部にガラスおよびアクリル透明素材を用いて、透過型液晶モジュールを装着し、映像およびメッセージを透過型液晶モジュールに表示が出来る。
従来の設備制御を行う制御盤扉面に設備案内説明および商品ＰＲ等の機能に使用できる映像表示サイネージ機能を組み合わせた。
【考案の詳細な説明】
【技術分野】
【０００１】この考案は、制御盤扉面を従来の板金筐体からガラスおよびアクリル透明素材とし、透過型液晶モジュールを装着して使用者が任意の映像を映し出し、設備案内説明および商品ＰＲが行えるサイネージ機能を有する制御盤に関するものである。
【背景技術】
【０００２】工場見学を有効な販促手法として積極的に展開される企業が増えている。
企業の課題である映像による設備案内説明および商品ＰＲができるサイネージ機能を有した制御盤は存在しなかった。
【考案の概要】
【考案が解決しようとする課題】
【０００３】そのために次のような問題点があった。
工場見学で設備の案内や説明および商品ＰＲを、映像を使ってお客様にイメージ良く判りやすくＰＲしたいとの要望が多い。一方、生産現場では、生産設備に直接関係の無い映像用モニター設備はスペースの制限もあり配置できない等の課題がある。
本考案は制御盤を利用して、上記課題を解決するものである。
【課題を解決するための手段】
【０００４】機械制御やシステムを制御する為に現場に設置される制御盤の扉面を利用して、透過型モジュールを装着しサイネージ機能を有して、従来の設備制御機能に加えて、設備案内説明および商品ＰＲができるサイネージ機能を有する透過型液晶モジュールつき制御盤を考案した。
【考案の効果】
【０００５】考案した透過型モジュールつき制御盤を工場見学通路に設置し、従来の設備制御に加えて、サイネージ機能を利用して設備の案内や説明および自社商品ＰＲ等をイメージ良く映像を使って広告が出来る。
【図面の簡単な説明】
【０００６】
【図１】本考案の斜視図
【図２】本考案の使用状態を示す説明図
【考案を実施するための形態】
【０００７】以下、本考案の実施の形態について説明する。
（イ）透過型モジュールの装着部
（１）制御盤筐体に取り付く（２）制御盤扉部にガラスおよびアクリルの透明素材取付け（３）透過型モジュールを装着する。
（ロ）映像によるサイネージ機能
（２）装着された透過型モジュールに（５）任意の映像を投影し設備の案内や説明および自社商品ＰＲに使用。
【実施例】
【０００８】
0003201384.tif 000003
【産業上の利用可能性】
【０００９】工場見学を有効な販促手法として、また企業のイメージＵＰ活動として積極的に展開される企業が増えている。本考案はそれらのニーズに、制御盤に映像機能を採り入れるといった新しい設備での企業ＰＲの形を提案する。
工場見学課題解決に幅広く利用される可能性が高い。
【符号の説明】
【００１０】１    制御盤筐体
２    扉部
３    ガラスおよびアクリル透明素材
４    透過型モジュール
５    透過型モジュールに映像を投影（サイネージ機能）
【図１】
0003201384.tif 000004
【図２】
0003201384.tif 000005
【手続補正書】
【提出日】平成27年9月10日(2015.9.10)
【手続補正１】
【補正対象書類名】実用新案登録請求の範囲
【補正対象項目名】全文
【補正方法】変更
【補正の内容】
【実用新案登録請求の範囲】
【請求項１】
機械設備の制御及びシステムをコントロールする制御盤の扉部にガラス製またはアクリル製の透明素材を嵌め込み構造として組付け、その部分に映像及びメッセージを表示する透過型液晶モジュールを装着し制御盤に組合せ、透過型液晶モジュールで、生産現場のカメラ画像、設備案内説明、商品ＰＲまたは設備故障時の故障部分映像を表示することを特徴とする透過型液晶モジュール付制御盤。
【手続補正２】
【補正対象書類名】明細書
【補正対象項目名】０００８
【補正方法】変更
【補正の内容】
【０００８】本考案である透過型液晶モジュールつき制御盤を製作し、自社ビル正面玄関に設置し自社システムＰＲを目的に映像を投影して来客者に会社ＰＲ活用。
(57)【要約】      （修正有）【課題】ＡＣ１００Ｖ電源を使用せず、単１乾電池を電源とし、手軽に、しかも安全に単３．４．５乾電池を充電できる乾電池式簡易乾電式充電器を提供する。【解決手段】電池容量が少なくなり使えなくなった単３又は単４又は単５乾電池１３を再生させるため電池容量が充分にある単１乾電池１１を電源として単３又は単４又は単５乾電池１３を充電するものでバッテリーチェッカー１４，１５と呼ばれる電圧計をつなぎ合わせた単１乾電池ボックス１０と単３又は単４又は単５乾電池ボックス１２を並列につなぎ合わせ各乾電池を並列にセットすることにより電位の差で単１乾電池１１から単３又は単４又は単５乾電池１３に流れる電流により充電させるもので各々の電圧計により電源乾電池の放電状況及び被充電乾電池の充電状況を確認できる。安全に手軽に単３．４．５乾電池の再生ができ、繰り返し充電することにより資源保護、経済的課題も解決できる。【選択図】図１
0003201390.tif 000002
【実用新案登録請求の範囲】
【請求項１】
電池容量が少なくなり、使えなくなった単３．４．５乾電池を再生させるため、電池容量が充分にある単１乾電池を電源として単３．４．５乾電池を充電するもので、充電状況が把握できるようバッテリーチェッカーと呼ばれる電圧計とを組み合わせた乾電池式簡易充電器に関する。
【考案の詳細な説明】
【考案の詳細な説明】
【技術分野】
【０００１】本考案は、電池残量が少なくなった小容量の乾電池を再生させるため、電池残量が充分にある大容量の乾電池を利用し充電する簡易式充電器に関する。
【背景技術】
【０００２】ＡＣ１００Ｖを用いアダプターで乾電池を充電する機器は公知の技術としてあるが、これは専用のニッケル水素電池への充電が一般的であり、アルカリやマンガン電池には発熱、破裂などの危険性から充電が不可能であった、また使い方で充電器そのもののコンセント部の発火、ショートなどの懸念、及び過充電による乾電池の液漏れ、発火などの懸念があった、また災害時など停電時には使えない不便さもあった。
【考案が解決しようとする課題】
【０００３】電池容量の小さい、単３．単４乾電池などは小型ラジオ、懐中電灯の電源、テレビ、空調などのリモコンの電源など広い範囲に使用されているが、電池容量の関係で消耗が早く、使い切った場合は大抵捨てられおり経済的にも課題があった。
【０００４】そこで本考案は、ＡＣ１００Ｖ電源を使用せず、単１乾電池を電源とし、手軽に、しかも安全に単３．４．５乾電池を充電できる乾電池式簡易充電器を提供することにある。
【問題を解決するための手段】
【０００５】未使用の単１乾電池の電池容量は約１４，０００ｍＡｈ、単３乾電池の約１１倍、単４乾電池の約１９倍と言われている。この容量差を活用し、電源用の単１乾電池と充電される単３．４．５乾電池の極性を合わせ並列に電池ボックス等で接続することにより単１乾電池から単３．４．５乾電池に流れる電流により充電させることができる。
【実施例】
【０００６】次に本考案の実施例を添付図面に基づいて詳細に説明する。
図１は本考案の充電機器の全体図を示す。
１０は単１乾電池ボックス、１１は電源となる単１乾電池、１２は被充電の単３又は単４又は単５乾電池ボックス、１３はそれぞれ被充電の単３又は単４又は単５乾電池を示す。１４は電源乾電池のバッテリーチェッカー、１５は被充電乾電池のバッテリーチェッカーを示す。１６は充電をオン、オフするスイッチを示す。
先ず１６をオフにした状態で１０の極性を確認して１１にセットする、１４で電池容量が充分有ることを確認する。次に１３の極性を合わせ、１２に１本ずつ電池残量を１５で確認しながらセットする、図ではセット本数が４本となっているが１本でも２本でも充電は可能である。セットが終わり１６をオンにすると充電が開始される。充電の進み具合は、１６を一旦オフすることにより、１５のバッテリーチェッカーで確認が可能である。
【考案の効果】
【０００７】本考案に係る乾電池式簡易乾電池式充電器によれば、これまで、充電されずに廃棄されていた単３．４．５などの小容量乾電池を安全に手軽に充電が可能で、繰り返し充電することにより経済的にもその効果は大きいものがある。また乾電池を充電せず廃棄する場合には乾電池の残容量のチェックのみにも使用でき、廃棄の判断が可能となる。
【図面の簡単な説明】
【図１】乾電池式簡易乾電池充電器の全体を示す説明図である。
【図２】充電器の電気回路を示すものである。
【符号の説明】１０    電源用単１乾電池電池ボックス
１１    電源用単１乾電池
１２    被充電乾電池電池ボックス
１３    被充電乾電池
１４    電源用乾電池バッテリーチェッカー
１５    被充電乾電池バッテリーチェッカー
１６    充電オン、オフスイッチ
【図１】
0003201390.tif 000003
【図２】
0003201390.tif 000004
【手続補正書】
【提出日】平成27年9月25日(2015.9.25)
【手続補正１】
【補正対象書類名】実用新案登録請求の範囲
【補正対象項目名】全文
【補正方法】変更
【補正の内容】
【実用新案登録請求の範囲】
【請求項１】
電池容量が少なくなり使えなくなった単３又は単４又は単５乾電池を再生させるため電池容量が充分にある単１乾電池を電源として単３又は単４又は単５乾電池を充電するものでバッテリーチェッカーと呼ばれる電圧計をつなぎ合わせた単１乾電池ボックスと単３又は単４又は単５乾電池ボックスを並列につなぎ合わせ各乾電池を並列にセットすることにより電位の差で単１乾電池から単３又は単４又は単５乾電池に流れる電流により充電させるもので各々の電圧計により電源乾電池の放電状況及び被充電乾電池の充電状況を確認できるようにした乾電池式簡易乾電池充電器
(57)【要約】      （修正有）【課題】香水を付着させても変色することがなく、浴槽に浮かべる事により良い香りと見た目のきれいさでリラクゼーション効果がある浴用ソラフラワーを提供する。【解決手段】セノーというタイの植物の茎を０．５ｍｍ〜３ｍｍ程度に裁断し、それを花びらの形に加工して束ねたソラフラワー１を出来るだけバラの花の形に真似る。バラに似せるため花びらの枚数は１０枚〜３０枚がふさわしい。そしてバラの色に近い色合いを付け、香りは生花のバラから抽出された天然香料を使用した香水２を０．５〜３ｍｌ付着させることにより生花のバラを浴槽に浮かべた感覚に近づける。身体の安全性に関しては香水を付着させる前に電解水等の殺菌剤で除菌する。【選択図】図１
0003201388.tif 000002
【実用新案登録請求の範囲】
【請求項１】
０．５ｍｌ〜３ｍｌの香水を付着させたことを特徴とする浴用ソラフラワー。
【考案の詳細な説明】
【技術分野】
【０００１】
本考案はお湯を入れた浴槽に香りを付着させたソラフラワーを浮かべるものである。
【背景技術】
【０００２】
入浴時に香りの良いバラの花を浴槽に入れたいという依頼は多いが、生花のバラは花首だけにすると香りがほとんど無くなる。そのため香水を付着させると変色する。
【先行技術文献】
【特許文献】
【０００３】
【特許文献１】特開２００６−１０４１２７号公報
【考案の概要】
【考案が解決しようとする課題】
【０００４】
入浴時に香りの良いバラの花を浴槽に入れたいという依頼は多いが、生花のバラは花首だけにすると香りがほとんど無くなる。そのため香水を付着させると変色する。また、浴槽内では人間の肌に直接触れるので身体に安全であることが必要となる。
【課題を解決するための手段】
【０００５】
セノー（Sanoo）というタイの植物の茎を0.5mm〜3mm程度に裁断し、それを花びらの形に加工して束ねたソラフラワーを出来るだけバラの花の形に真似る。バラに似せるため花びらの枚数は10枚〜30枚がふさわしい。そしてバラの色に近い色合いを付け、香りは生花のバラから抽出された天然香料を使用した香水を付着させることにより生花のバラを浴槽に浮かべた感覚に近づける。
また身体の安全性に関しては香水を付着させる前に電解水等の殺菌剤で除菌する。
【考案の効果】
【０００６】
浴槽に香水を付着させたソラフラワーを浮かべる事により良い香りと見た目のきれいさでリラクゼーション効果がある。
【図面の簡単な説明】
【０００７】
【図１】ソラフラワーに香水を噴霧している図である。
【図２】本考案の香水を噴霧したソラフラワーをお湯をいれた浴槽に浮かべた図である。
【考案を実施するための形態】
【０００８】
約1mmの花びらの厚さのソラフラワーにバラの天然オイルを配合した香水を付着させて３９℃のお湯を入れた浴槽に浮かべる。
そこに入浴するとソラフラワーからほのかなバラの香りがする。
気持ちよくリラックスできる。
【符号の説明】
【０００９】
１  ソラフラワー
２  噴霧中の香水
３  ボトルに入った香水
４  香水を噴霧するボトル
５  お湯
６  浴槽
【図１】
0003201388.tif 000003
【図２】
0003201388.tif 000004